(57)【要約】【課題】写真撮影になれていないユーザに写真を撮影するモチベーションを与え、同時に画像とテキストが調和した魅力的なコンテンツを作成すること。【解決手段】ユーザによって入力された文芸書のタイトルから文芸書の文書データが検索され、検索された文書データ中で撮影時に被写体になりうるキーワードを含むセンテンスのテキストデータが抽出され、この抽出されたテキストデータがデジタルカメラ１００のセンテンスデータベース１１６ａに記録される。デジタルカメラ１００によるスルー画表示時にはセンテンスデータベース１１６ａに記録されたセンテンスのテキストデータがスルー画像とともに表示され、撮影後にはスルー画像とともに表示されたテキストが画像に合成されて記録メディア１１７に記録される。【選択図】図１
2008271239.tif 000002
【特許請求の範囲】
【請求項１】
画像を取得する撮像部と、
文芸書のタイトルに応じた文芸書のテキストにおける、所定の特徴を有するキーワードを含むセンテンスを記録する記録部と、
上記センテンスと上記タイトルとを、上記画像に合成して表示する表示部と、
を具備することを特徴とするカメラ。
【請求項２】
上記文芸書のタイトルを指定するための指定部と、
上記指定されたタイトルに応じた文芸書のテキストにおける、上記所定の特徴を有するキーワードを含むセンテンスを、ネットワークを介してサーバからダウンロードするダウンロード部と、
をさらに具備することを特徴とする請求項１に記載のカメラ。
【請求項３】
上記カメラの姿勢を検出する姿勢検出部をさらに具備し、
上記表示部は、上記検出された姿勢に応じた向きで上記センテンスと上記タイトルとを上記画像に合成して表示することを特徴とする請求項１又は２に記載のカメラ。
【請求項４】
上記画像内における人物の顔部を検出する顔検出部をさらに具備し、
上記表示部は、上記画像の、上記検出された顔部と重ならない位置に上記センテンスと上記タイトルとを合成して表示することを特徴とする請求項１又は２に記載のカメラ。
【請求項５】
上記所定の特徴は、被写体の名称及び種類に関連する特徴であることを特徴とする請求項１乃至４の何れかに記載のカメラ。
【請求項６】
文芸書のタイトルに応じた文芸書のテキストから、所定の特徴を有するキーワードを含むセンテンスを抽出する工程と、
上記抽出したセンテンスと上記タイトルとを画像に合成する工程と、
上記合成した画像を表示する工程と、
を有することを特徴とするコンテンツ作成方法。
【請求項７】
文芸書のタイトルに応じた文芸書のテキストから、所定の特徴を有するキーワードを含むセンテンスを抽出する手順と、
上記抽出したセンテンスと上記タイトルとを画像に合成する手順と、
上記合成した画像を表示する手順と、
をコンピュータに実行させるためのコンテンツ作成プログラム。
【発明の詳細な説明】
【技術分野】
【０００１】
本発明は、画像とテキストとが一体となったコンテンツを楽しめるカメラ、コンテンツ作成方法、及びプログラムに関する。
【背景技術】
【０００２】
近年、ネットワーク環境の充実によって各種のネットワークサービスが拡充されている。このようなサービスによって、ユーザは画像なり、エッセイ等のテキストなりといったコンテンツをアップロードし、アップロードされたコンテンツを不特定多数の閲覧者に鑑賞してもらえる楽しみ方が一般的になってきている。こうしたコンテンツはコンシューマでありながら発信者でもある人が作るもので、コンシューマジェネレーテッドメディア（ＣＧＭ）等と呼ばれている。このようなコンテンツは発信者が初心者である場合に玉石混交の内容となりやすいので、こうしたユーザのモチベーションを維持しつつ、魅力的なコンテンツを作成できるシステムが望まれてきている。
【０００３】
また、近年では、画像のみやテキストのみではなく、これらが有機的に結合されたコンテンツが求められている。
【０００４】
このような複数のコンテンツを有機的に結合させる技術として、例えば特許文献１においては写真と俳句とを関連付ける技術が提案されている。この特許文献１の手法は、画像管理を、俳句を使って行うものであり、従来のシステムでは、各撮影画像についての所望の全文字列情報を一々ユーザ自身が考えて書き込んで対応付けし、写真集として保存したり記録したりするのが非常に面倒であるところを、得られた画像に対して当該画像に応じた文字列情報を簡単に対応付けして管理することが可能である。
【０００５】
また、特許文献２においてはデータベースより通信手段を介して、撮影する被写体に対応したカメラの設定データや撮影ガイドを表示させることにより、確実な撮影が行えるようにしている。
【特許文献１】特開２００４−２４０５７９号公報
【特許文献２】特開２００５−１８４６１０号公報
【発明の開示】
【発明が解決しようとする課題】
【０００６】
ここで、特許文献１は画像の整理に力点が置かれており、特許文献２は撮影を確実に行うことに力点が置かれており、魅力的なコンテンツの作成を促すものではない。
【０００７】
本発明は、上記の事情に鑑みてなされたもので、写真撮影になれていないユーザに写真を撮影するモチベーションを与え、同時に画像とテキストが調和した魅力的なコンテンツを作成することができるカメラ、コンテンツ作成方法、及びプログラムを提供することを目的とする。
【課題を解決するための手段】
【０００８】
上記の目的を達成するために、本発明の第１の態様のカメラは、画像を取得する撮像部と、文芸書のタイトルに応じた文芸書のテキストにおける、所定の特徴を有するキーワードを含むセンテンスを記録する記録部と、上記センテンスと上記タイトルとを、上記画像に合成して表示する表示部とを具備することを特徴とする。
【０００９】
また、上記の目的を達成するために、本発明の第２の態様のコンテンツ作成方法は、文芸書のタイトルに応じた文芸書のテキストから、所定の特徴を有するキーワードを含むセンテンスを抽出する工程と、上記抽出したセンテンスと上記タイトルとを画像に合成する工程と、上記合成した画像を表示する工程とを有することを特徴とする。
【００１０】
さらに、上記の目的を達成するために、本発明の第３の態様のコンテンツ作成プログラムは、文芸書のタイトルに応じた文芸書のテキストから、所定の特徴を有するキーワードを含むセンテンスを抽出する手順と、上記抽出したセンテンスと上記タイトルとを画像に合成する手順と、上記合成した画像を表示する手順とをコンピュータに実行させる。
【発明の効果】
【００１１】
本発明によれば、写真撮影になれていないユーザに写真を撮影するモチベーションを与え、同時に画像とテキストが調和した魅力的なコンテンツを作成することができるカメラ、コンテンツ作成方法、及びプログラムを提供することができる。
【発明を実施するための最良の形態】
【００１２】
以下、図面を参照して本発明の実施形態について説明する。  
図１は、本発明の一実施形態に係るカメラを含む通信システムの構成を示す図である。図１に示す通信システムは、本発明の一実施形態に係るカメラの一例であるデジタルカメラ１００と、サーバ３００と、データベース４００と、パーソナルコンピュータ（ＰＣ）５００とを有し、これらが互いにデータ通信自在に接続されて構成されている。
【００１３】
図１に示すデジタルカメラ１００は、マイクロプロセッシングユニット（ＭＰＵ）１０１と、操作部１０２と、撮影レンズ１０３と、オートフォーカス（ＡＦ）回路１０４と、絞り機構１０５と、絞り制御回路１０６と、撮像素子１０７と、アナログフロントエンド（ＡＦＥ）回路１０８と、画像処理回路１０９と、表示制御回路１１０と、表示パネル１１１と、テキスト合成回路１１２と、距離検出回路１１３と、顔検出回路１１４と、圧縮／伸張部１１５と、記録制御部１１６と、記録メディア１１７と、通信部１１８と、補助光発光回路１１９とを有して構成されている。
【００１４】
ＭＰＵ１０１は、ユーザからの操作部１０２の操作に応じてデジタルカメラ１００を構成する各ブロックを所定のプログラムに従ってシーケンシャルに制御する。操作部１０２は、デジタルカメラ１００による撮影を実行させるためのレリーズスイッチや、デジタルカメラ１００の動作モード撮影モード、再生モード等に切り替えるための切り替えスイッチ、構図確認時に文芸書から抽出されたセンテンスを表示パネル１１１に表示させるためのスイッチ等が含まれる。また、後述するタイトルの入力をデジタルカメラ１００から行う場合には、操作部１０２として文字を入力するための操作部も含まれる。
【００１５】
また、ＭＰＵ１０１は、ユーザによって写真撮影がなされた時刻を計測するためのタイマを有している。これにより、撮影によって得られる画像データに対して撮影時刻が関連付けられる。
【００１６】
撮影レンズ１０３は、被写体２００からの像を撮像素子１０７に結像させる。この撮影レンズ１０３は、オートフォーカス（ピント合わせ）用のレンズを含んでいる。オートフォーカスの際に、ＭＰＵ１０１は、ピント合わせレンズのレンズ位置をモニタしつつ、ＡＦ回路１０４を制御してピント合わせレンズのレンズ位置を切り替えて撮影レンズ１０３のピント合わせを行う。また、撮影レンズ１０３にズームレンズが含まれている場合にはズームレンズの位置を切り替えることで撮影時の画角を切り替えることもできる。
【００１７】
絞り機構１０５は、撮影レンズ１０３内又はその近傍に設けられ、シャッタや絞りの効果を奏する機構である。絞り機構１０５は、撮影開始時に絞り制御回路１０６によって所定の口径まで開かれ、撮影終了時に閉じられるものである。撮影時の絞り機構１０５の口径を変えることによって、撮影レンズ１０３の被写界深度が変化する。これによって、背景被写体のぼけ具合等を調整して、撮影時に主要被写体を浮かび上がらせたり、背景被写体をしっかりと描写したりするなどの表現の切替を行うことができる。
【００１８】
撮像素子１０７は、多数の画素が配列されて構成される受光面を有し、撮影レンズ１０３を介して受光した被写体２００からの像を電気的な信号に変換する。本実施形態においては、撮像素子１０７にはＣＣＤ方式及びＣＭＯＳ方式の何れを用いても良い。
【００１９】
ＡＦＥ回路１０８は、ＣＤＳ回路、ゲイン調整回路、ＡＤ変換回路等を含み、撮像素子１０７において得られるアナログ電気信号に対し相関二重サンプリング処理、ゲイン調整処理といったアナログ処理を行った後、これによって得られる画像信号をデジタルデータ化して画像処理回路１０９に入力する。また、ＡＦＥ回路１０８には、撮像素子１０７を構成する複数の画素からの信号を一括して読み出す機能も設けられている。例えば、ＡＦＥ回路１０８によって、４画素（２×２画素）や９画素（３×３画素）の信号をまとめて読み出し、これら読み出した電気信号を加算することでＳ／Ｎを向上させることができる。このような処理によって、撮像素子１０７の見かけ上の感度を上げること等ができる。
【００２０】
さらに、ＡＦＥ回路１０８は、撮像素子１０７からの出力信号を取捨選択する機能も有し、撮像素子１０７の全有効画素のうち、限られた範囲の画素からの信号のみを抽出することもできる。一般に、撮像素子１０７は間引きを行うことで高速で信号を読み出すことができる。この機能を利用して、撮像素子１０７で構図確認用に得られたスルー画像を高速で読み出して画像処理回路１０９において処理してから表示パネル１１１に表示すれば、ユーザは表示パネル１１１上に表示される画像を利用してフレーミングを行うことが可能である。
【００２１】
画像処理回路１０９は、ＡＦＥ回路１０８から入力される画像データにおける色や階調、シャープネス等を補正処理したり、画像データのレベルを所定のレベルに増幅して、正しい濃淡及び正しい灰色レベルに調整したりする各種画像処理を行う。
【００２２】
また、上述したようなフレーミング用のスルー画像等の各種の画像を表示するために、画像処理回路１０９は、ＡＦＥ回路１０８から入力される画像データを表示パネル１１１に表示可能なようにリサイズ（縮小）する機能も有する。
【００２３】
表示制御回路１１０は、画像処理回路１０９で得られた画像データや記録メディア１１７に記録されている画像データを映像信号に変換し、表示パネル１１１に表示させる。表示部としての表示パネル１１１は液晶表示パネルや有機ＥＬ表示パネル等の表示パネルである。また、表示制御回路１１０は、表示パネル１１１に複数の画像を重畳して表示させるマルチ画面表示機能も有している。このマルチ画面表示機能によって、撮影した画像や撮影する画像の上に、モード設定の文字表示やいろいろな警告表示を重畳表示することも可能である。
【００２４】
テキスト合成回路１１２は、画面内の所定位置に小説などの一節（センテンス）のテキストが表示されるように画像処理回路１０９によって得られる画像データにテキストデータを合成する。このテキスト合成の詳細については後述する。
【００２５】
距離検出回路１１３は、画像処理回路１０９によって得られる画像のコントラストを検出する。この距離検出回路１１３によって検出されるコントラストはオートフォーカスの際に用いられる。即ち、ＡＦ回路１０４によって撮影レンズ１０３のピント合わせレンズのレンズ位置を変化させながら、距離検出回路１１３によって画像のコントラストを逐次検出し、検出されるコントラストが最大となるレンズ位置でピント合わせレンズを停止させることで、撮影レンズ１０３のピント合わせを行うことができる。
【００２６】
顔検出回路１１４は、画像処理回路１０９によって得られる画像内の特徴点（例えば、主要被写体が人物等であれば、目や鼻、口等）の分布から、主要被写体の特に顔を検出する。
【００２７】
圧縮／伸張部１１５は、撮影時に、画像処理回路１０９において処理された画像データを圧縮するとともに、再生時に記録制御部１１６を介して記録メディア１１７から読み出した画像データを伸張する。
【００２８】
記録制御部１１６は、圧縮／伸張部１１５で圧縮された画像データに付随データを付随させて記録メディア１１７に記録する。また、記録制御部１１６は、後述するテキスト合成に用いられるテキストを格納する記録部としてのセンテンスデータベース１１６ａを有している。このセンテンスデータベース１１６ａの内容は、カメラ製造時に記録してもよいが、デジタルカメラ１００外部のサーバ３００等からネットワーク経由で書き換えることができる。
【００２９】
通信部１１８は、記録メディア１１７に記録された画像データ等をデジタルカメラ１００外部のサーバ３００等に送信したり、サーバ３００等から各種の情報を受信したりする際の通信制御を行う。この通信部１１８によって、デジタルカメラ１００で撮影した画像を他の人に転送したり、ネットワーク上のサービス（例えば、ネットワーク接続されたサイト等と連携したサービス）を利用して、情報を付加したり、受信したりすることができる。
【００３０】
補助光発光回路１１９は、撮影時の状況に応じて被写体２００に補助光を照射する。これによって、撮影時の明るさの不足や不均一を防止する。この補助光発光回路１１９の動作を、ユーザが操作部１０２を操作してマニュアルで制御できるようにしても良い。
【００３１】
サーバ３００は、例えばブログやＳＮＳ（Social Networking Service）等のＣＧＭ（Consumer Generated Media）を管理するサーバを想定している。このサーバ３００は、制御部３０１と、通信部３０２と、記録部３０３とを有している。制御部３０１は、記録部３０３に記録されたコンテンツをＰＣ５００やデジタルカメラ１００に表示させる機能や、データベース４００の文書データベース４０１に記録されている文書データから所定のセンテンスのテキストデータを抽出する機能等の、サーバ３００における各種の動作を制御する。通信部３０２は、サーバ３００が、デジタルカメラ１００、データベース４００、ＰＣ５００とデータ通信する際の通信制御を行う。記録部３０３は、デジタルカメラ１００から送信されてきた画像データ等の各種コンテンツを記録する。
【００３２】
データベース４００は、サーバ３００によって参照される各種のデータを記録する。データベース４００は、文書データベース４０１と、被写体データベース４０２とを有している。文書データベース４０１は、文芸書のタイトルとその文芸書の内容を示す文書データとを対応付けて記録する。被写体データベース４０２は、文書データ中から所定のセンテンスを抽出するための被写体の種類、名称等を示すキーワードをテキストデータとして記録する。このキーワードとしては、撮影場所の位置情報、撮影時間や時期、季節に関するもの等も含まれる。また、具体的な固有名詞（例えば富士山、日本海等）や自然を表わす所謂山川草木、花鳥風月に関する語句、及び俳句の季語や季題等も含まれる。
【００３３】
ＰＣ５００は、ウェブページをブラウジングするためのソフトウェアがインストールされ、ウェブページ上で各種の操作を行うためのマウスやキーボードといった操作部や液晶ディスプレイ等の表示部を有するコンピュータである。
【００３４】
以上のような構成の通信システムにおいて、ユーザが感銘を受けた小説やエッセイなど（以下、文芸書と記す）のタイトルを、例えばＰＣ５００を介してサーバ３００に入力する。なお、タイトルの入力はデジタルカメラ１００を介して行えるようにしても良い。タイトルが入力されると、サーバ３００の制御部３０１は、そのタイトルの文書データを文書データベース４０１から読み出して、その文書データ中に含まれる各センテンスをくまなく調べ、所定の決まりでセンテンスのテキストデータを抽出し、抽出したセンテンスのテキストデータをデジタルカメラ１００のセンテンスデータベース１１６ａに送って記録させる。センテンスのテキストデータの抽出の際の所定の決まりとは、そのセンテンスが被写体データベース４０２に記録されているキーワードを含んでいるか否かであり、制御部３０１は文書データの中から被写体データベース４０２に記録されているキーワードを含むセンテンスのテキストデータを抽出する。
【００３５】
以下、図２の模式図を用いてセンテンスのテキストデータの抽出についてさらに説明する。ユーザによって文芸書のタイトルが入力されると、そのタイトルの文書データが文書データベース４０１から検索される。文書データベース４０１から該当する文書データが検索されると、制御部３０１は、文書データと被写体データベース４０２に記録されているキーワードとの照合を行う。被写体データベース４０２には、自然（空、山、川、海等）、建造物（建物、店、像等）、動植物（花、木、鳥等）、機器（時計、机等）等の、画像撮影の際に被写体になりうるものの名称がキーワードとして記録されている。制御部３０１は、文書データ中から、これらのキーワードを含むセンテンスを抽出し、抽出したセンテンスのテキストデータを文芸書の中で出てきた順にデジタルカメラ１００のセンテンスデータベース１１６ａに送信する。デジタルカメラ１００のＭＰＵ１０１はサーバ３００から送信されてきたセンテンスデータを送信されてきた順にセンテンスデータベース１１６ａに記録させる。
【００３６】
ここで、サーバ３００からデジタルカメラ１００にはセンテンスデータとともに文芸書のタイトルも送信することが望ましい。また、著者名等の文芸書に係る各種の情報も併せて送信するようにしても良い。
【００３７】
このようにしてデジタルカメラ１００のセンテンスデータベース１１６ａに記録されたセンテンスデータ等は撮影時に得られた画像データと合成されて記録される。例えば、図３（ａ）のように、ユーザが、写真撮影前のフレーミング時に、デジタルカメラ１００に設けられたセンテンス表示スイッチ１０２ａを操作すると、構図確認用のスルー画像とともにセンテンスデータベース１１６ａに記録されたセンテンスのテキストが表示される。図３（ｂ）及び図３（ｃ）にセンテンスのテキストの表示例を示す。図３（ｂ）は、構図確認用のスルー画像１１１ａとセンテンスのテキスト１１１ｂとを表示パネル１１１上の別部分に表示させる例である。また、図３（ｂ）においては、センテンスのテキスト１１１ｂに加えて、センテンスを引用した文芸書のタイトルのテキスト１１１ｃも表示させるようにしている。一方、図３（ｃ）は、構図確認用のスルー画像１１１ａに、センテンスのテキスト１１１ｂと文芸書のタイトルのテキスト１１１ｃとを重畳させて表示させる例である。ここで、図３（ｃ）のように、テキストをスルー画像に重畳させて表示させる場合は、表示されたテキストが構図の確認の妨げとならないようにすることが好ましい。この手法については後述する。
【００３８】
ユーザが図３（ｂ）や図３（ｃ）のような画像が表示されている状態で撮影操作を行うことにより、撮影により得られた画像データにセンテンスのテキストデータ及びタイトルのテキストデータが合成されて記録メディア１１７に記録される。
【００３９】
このような動作によって、ユーザは、テキストと画像のバランスを取った撮影が可能となる。また、撮影後に、テキストを引用する必要なく、撮影時にそれを確認しながら撮影を楽しむことができる。
【００４０】
以下、図４及び図５を参照して図１の通信システムを用いたコンテンツの作成方法の流れについて説明する。
【００４１】
図４は、図１の通信システムにおけるサーバ３００側の制御について示すフローチャートである。図４において、サーバ３００の制御部３０１は、ユーザによるＰＣ５００等の操作（デジタルカメラ１００からの操作であっても良い）によって文芸書のタイトルが入力されたか否かを判定している（ステップＳ１）。ステップＳ１の判定において、文芸書のタイトルが入力された場合に、制御部３０１は、文芸書のタイトルに対応した文書データを文書データベース４０１から検索し、検索した文書データと被写体データベース４０２のキーワードデータとを比較してキーワードを含むセンテンス（例えば１文）を抽出する（ステップＳ２）。そして、制御部３０１は、抽出した順（即ち、センテンスが文書中に出てきた順）に、センテンスのテキストデータ及びタイトルのテキストデータをデジタルカメラ１００に送信する（ステップＳ３）。その後に、制御部３０１は、図４の処理を終了させる。このようにしてセンテンスのテキストデータ及びタイトルのテキストデータはデジタルカメラ１００のセンテンスデータベース１１６ａに記録される。文書量が多い場合であっても、抽出されるセンテンスは短いので、デジタルカメラ１００に記録される容量を少なくすることができる。なお、上述したように、センテンス及びタイトルのテキストデータに加えて著者名のテキストデータも合わせて記録させるようにしてもよい。
【００４２】
一方、ステップＳ１の判定において、文芸書のタイトルの入力がなされていない場合に、制御部３０１は、ユーザによるＰＣ５００等の操作によってコンテンツの再生指示がなされたか否かを判定する（ステップＳ４）。そして、ステップＳ４の判定において、コンテンツの再生指示がなされた場合に、制御部３０１は、記録部３０３に記録されている画像等のコンテンツを再生する（ステップＳ５）。その後に制御部３０１は、図４の処理を終了させる。一方、ステップＳ４の判定において、コンテンツの再生指示がなされていない場合に、制御部３０１は、センテンスの抽出やコンテンツの再生を行わずに、図４の処理を終了させる。
【００４３】
図５は、図１の通信システムにおけるデジタルカメラ１００側の制御について示すフローチャートである。
【００４４】
デジタルカメラ１００のＭＰＵ１０１は、ユーザにより操作部１０２のレリーズスイッチが操作されたか否かを判定することにより、撮影指示がなされたか否かを判定している（ステップＳ１１）。ステップＳ１１の判定において、撮影指示がなされていない場合に、ＭＰＵ１０１は、ユーザにより操作部１０２の操作により再生指示がなされたか否かを判定する（ステップＳ１２）。ステップＳ１２の判定において、再生指示がなされていない場合に、ＭＰＵ１０１は、ユーザによる操作部１０２の操作により、スルー画表示指示がなされたか否かを判定する（ステップＳ３０）。ステップＳ３０の判定において、スルー画表示指示がなされた場合に、ＭＰＵ１０１は、フレーミング用のスルー画表示を開始させる（ステップＳ１３）。一方、ステップＳ３０の判定において、スルー画表示指示がなされていない場合に、ＭＰＵ１０１は、サーバ３００からデータの送信があるか否かを判定する（ステップＳ３１）。
【００４５】
ステップＳ３１の判定において、サーバ３００からのデータ送信がある場合に、ＭＰＵ１０１は、通信部１１８を介してセンテンス及びタイトルのテキストデータを受信する（ステップＳ３２）。そして、データ受信がすべて完了すると、処理がステップＳ１１に戻る。なお、通信部１１８を介して受信されたセンテンス及びタイトルのテキストデータはセンテンスデータベース１１６ａに記憶される。
【００４６】
スルー画表示の開始後、ＭＰＵ１０１は、ユーザによるセンテンス表示スイッチ１０２ａの操作がなされたか否かを判定することにより、センテンスのテキストの表示指示がなされたか否かを判定する（ステップＳ１４）。ステップＳ１４の判定において、センテンスのテキストの表示指示がなされていない場合には、ステップＳ１１に戻り、ＭＰＵ１０１はユーザによって撮影指示がなされたか否かを再び判定する。一方、ステップＳ１４の判定において、センテンスのテキストの表示指示がなされた場合に、ＭＰＵ１０１は画面の縦横判定を行う（ステップＳ１５）。これは、センテンスのテキストをユーザが正しく読めるように表示させるための処理であり、例えば、日中や照明下の撮影ではスルー画表示されている画像中の明るい部分を検出し、この明るい部分を画面の上と判定する。また、顔検出回路１１４によって顔検出を行い、この顔の向きから画面の縦横を判定するようにしても良い。あるいは、角速度センサ等を用いてデジタルカメラ１００の姿勢（縦位置で構えられているか正位置で構えられているか）を検出することにより、画面の縦横を判定するようにしても良い。
【００４７】
画面の縦横判定の終了後、ＭＰＵ１０１は、顔検出回路１１４による顔検出を行う（ステップＳ１６）。なお、ステップＳ１５の画面の縦横判定時に顔検出を行っている場合にはステップＳ１６の処理を省略することもできる。ステップＳ１６の後、ＭＰＵ１０１は顔検出回路１１４によって画像内に顔が検出されたか否かを判定する（ステップＳ１７）。
【００４８】
ステップＳ１７の判定において、顔が検出された場合には、図３（ｃ）のような表示を行う。この場合には、顔部にテキストが表示されるのを避けるためにＭＰＵ１０１は、センテンスのテキスト及びタイトルのテキストの表示位置を、ステップＳ１６で検出された顔位置以外の位置に設定するとともにテキストの向きを縦横判定によって判定された画面の向きに応じて設定する（ステップＳ１８）。また、図３（ｃ）のような表示の場合には、テキストが背景に埋もれてしまう可能性があるので、ＭＰＵ１０１はテキストの表示色を、テキストの表示位置における背景の補色に設定し、センテンスのテキスト及びタイトルのテキストをスルー画像とともに表示パネル１１１に表示させる（ステップＳ１９）。
【００４９】
また、ステップＳ１７の判定において、顔が検出されなかった場合には、図３（ｂ）のようにスルー画像とは別枠の位置にテキストを表示させる。即ち、ＭＰＵ１０１は、センテンスのテキスト及びタイトルのテキストを表示パネル１１１のスルー画像が表示される枠とは別枠の位置（例えば画面左側。スルー画像と別枠の位置であれば画面左側でなくとも良い）に表示させる（ステップＳ２０）。
【００５０】
ステップＳ１９又はステップＳ２０の後、ＭＰＵ１０１は、ユーザによる操作部１０２の操作によって、テキストの位置の変更操作や、テキストの縦書き表示と横書き表示の切替操作、テキストの表示色変更操作等のテキストに係る何らかの変更操作がなされたか否かを判定する（ステップＳ２１）。この変更操作は、それぞれの変更操作を行うための専用の操作部材を操作部１０２に設けるようにしても良いし、例えばデジタルカメラのメニュー画面内にテキストの変更を行うための項目を設定しておくようにしても良い。ステップＳ２１の判定において、変更操作がなされていない場合に、ＭＰＵ１０１はステップＳ２３の処理を行う。一方、ステップＳ２１の判定において、変更操作がなされた場合に、ＭＰＵ１０１は、ユーザからの操作指示に従ってテキストの表示位置や表示色、或いはテキストの縦書き表示や横書き表示の切替を行う（ステップＳ２２）。このようにして、ユーザは、記録時に合成されるテキストの位置や効果を確認しながら撮影を楽しむことができる。
【００５１】
その後、ＭＰＵ１０１は、ユーザによる操作部１０２の操作によって表示パネル１１１に表示させるセンテンスのテキストの切替操作がなされたか否かを判定する（ステップＳ２３）。ステップＳ２３の判定において、テキストの切替操作がなされていない場合には、ステップＳ１１に戻り、ＭＰＵ１０１は、ユーザによって撮影指示がなされたか否かを再び判定する。一方、ステップＳ２３の判定において、テキストの切替操作がなされた場合に、ＭＰＵ１０１は、表示パネル１１１に表示させるセンテンスのテキストを次のテキストに切り替えた後（ステップＳ２４）、ステップＳ１１に戻る。なお、すべてのセンテンスのテキストを表示させた後は、最初のテキストを再び表示させるようにしても良いし、テキストの表示を終了させるようにしても良い。
【００５２】
また、ステップＳ１１の判定において、撮影指示がなされた場合に、ＭＰＵ１０１は、撮影動作を開始させ、画像データを取得する（ステップＳ２５）。撮影動作の終了後、ＭＰＵ１０１は、撮影指示がなされた時点でセンテンスのテキストが表示されていたか否かを判定することにより、撮影動作によって得られた画像データにセンテンス及びタイトルのテキストデータを合成するか否かを判定する（ステップＳ２６）。ステップＳ２６の判定において、テキストデータを合成する場合に、ＭＰＵ１０１は、テキスト合成回路１１２により、センテンス及びタイトルのテキストデータを画像データに合成してから記録メディア１１７に記録させる（ステップＳ２７）。なお、テキストの合成位置及びテキストの色、テキストを縦書きとするか横書きとするか等はスルー画表示時にユーザによって設定されたものが適用される。一方、ステップＳ２６の判定において、テキストデータを合成しない場合に、ＭＰＵ１０１は、画像データのみを記録メディア１１７に記録させる（ステップＳ２８）。画像データを記録メディア１１７に記録させた後、ＭＰＵ１０１は図５の処理を終了させる。
【００５３】
また、ステップＳ１２の判定において、画像の再生指示がなされた場合に、ＭＰＵ１０１はユーザによって選択された画像データを圧縮／伸張部１１５を介して伸張し、伸張した画像を表示パネル１１１に表示させる（ステップＳ２９）。
【００５４】
以上説明したように、本実施形態によれば、文芸書のタイトルを入力するだけで、撮影がなされる可能性の高い被写体に関するセンテンスがその文芸書から抽出される。撮影時には、サーバから抽出されたセンテンスの中から所望のものを選択するだけでユーザが撮影しようとしている画像にテキストが合成されて記録メディア１１７に記録される。これにより、画像とテキストが合成されたコンテンツを簡単に作成することができる。また、文芸書がガイドブックのようなものだと道順に沿った記述がなされることが多い。したがって、本実施形態のようにセンテンスのテキストを文芸書に出てきた順番で表示させることで、ユーザはその順番で撮影をしていけば、詳細な計画を立てずに旅に出ても、効率よく観光地を回ることができる。このように同じ文芸書中のセンテンスに従って撮影を行えば、一貫したテーマで画像の撮影を行うことができ、より見ごたえのあるコンテンツを作成することができる。
【００５５】
また、人物の顔がある場合には顔の部分を避けるようにしたり、背景にテキストが同化しないようにテキストの色を変更したり、画面の向きに応じてテキストの向きを変更することで、ユーザは必ずしもテキストの位置や色のことを考慮しなくともコンテンツを作成することが可能である。
【００５６】
ここで、上述した実施形態においては、センテンスのテキストとともに文芸書のタイトルを画像に合成しているが、著者名も併せて合成するようにしても良い。また、上述した実施形態では、センテンスのテキストとタイトルのテキストとを一体として合成するようにしているが、タイトルのテキストは最初のセンテンスのみに合成するようにしても良い。
【００５７】
以上実施形態に基づいて本発明を説明したが、本発明は上述した実施形態に限定されるものではなく、本発明の要旨の範囲内で種々の変形や応用が可能なことは勿論である。例えば、上述した実施形態においては文芸書の文書データからセンテンスのテキストデータを抽出する処理をサーバ３００において行っているが、データベース４００をデジタルカメラ１００に持たせれば、デジタルカメラ１００においてセンテンスのテキストデータの抽出を行うこともできる。
【００５８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５９】
【図１】本発明の一実施形態に係るカメラを含む通信システムの構成を示す図である。
【図２】センテンスのテキストデータの抽出について説明するための模式図である。
【図３】図３（ａ）は本発明の一実施形態に係るカメラの使用例を示す図であり、図３（ｂ）はスルー画像とテキストとを表示パネル上の別部分に表示させる例を示す図であり、図３（ｃ）はスルー画像にテキストを重畳させて表示パネルに表示させる例を示す図である。
【図４】図１の通信システムにおけるサーバ側の制御について示すフローチャートである。
【図５】図１の通信システムにおけるデジタルカメラ側の制御について示すフローチャートである。
【符号の説明】
【００６０】
１００…デジタルカメラ、１０１…マイクロプロセッシングユニット（ＭＰＵ）、１０２…操作部、１０３…撮影レンズ、１０４…オートフォーカス（ＡＦ）回路、１０５…絞り機構、１０６…絞り制御回路、１０７…撮像素子、１０８…アナログフロントエンド（ＡＦＥ）回路、１０９…画像処理回路、１１０…表示制御回路、１１１…表示パネル、１１２…テキスト合成回路、１１３…距離検出回路、１１４…顔検出回路、１１５…圧縮／伸張部、１１６…記録制御部、１１６ａ…センテンスデータベース、１１７…記録メディア、１１８…通信部、１１９…補助光発光回路、３００…サーバ、４００…データベース、５００…パーソナルコンピュータ（ＰＣ）
【図１】
2008271239.tif 000003
【図２】
2008271239.tif 000004
【図３】
2008271239.tif 000005
【図４】
2008271239.tif 000006
【図５】
2008271239.tif 000007